(57)【要約】  【課題】  画像に特殊な映像効果を付加して撮影を行うとき、表示装置のダイナミックレンジが狭かったり、解像度が不足していることが原因となり、映像効果が表示装置上で分かりにくいことがある。  【解決手段】  映像効果付加のために行われる画像処理に応じた処理を表示デバイス用に追加することで、表示装置上でも映像効果が視認しやすいカメラ一体型記録再生装置を実現する。【選択図】  図1
2013055435.tif 000002
【特許請求の範囲】
【請求項１】
映像信号に特性の異なる複数の映像効果を付加することができる画像処理手段と、撮影時に画像と同時に撮影に用いた映像効果を特定できる情報を記録再生できる記録再生手段と、撮影時に選択された映像効果の特性に応じて表示装置用の画像を調整する表示用画質調整手段と、前記表示用画質調整手段で調整された画像を表示する表示手段とを持ち、撮影に用いた映像効果の特性に応じて、前記表示装置用画質調整手段で行う画質調整の設定を切り替えることを特徴としたカメラ一体型記録再生装置。
【請求項２】
前記映像効果とは、周辺輝度の変化と、ソフトフォーカス処理と、ノイズ追加と、色相の変化と色彩度の変化と、コントラストの変化と、画像明滅とのうち少なくとも一つを含む効果であることを特徴とする請求項１に記載のカメラ一体型記録再生装置。
【請求項３】
前記映像効果で画像周辺の輝度を下げる特性を持つ場合、前記表示装置用画質調整手段でブライトネスを下げること、コントラストを上げることの少なくともどちらかを行うことを特徴とする請求項1に記載のカメラ一体型記録再生装置。
【請求項４】
前記映像効果で画像周辺の輝度を上げる特性を持つ場合、前記表示装置用画質調整手段でブライトネスを上げること、コントラストを上げることの少なくともどちらかを行うことを特徴とする請求項1に記載のカメラ一体型記録再生装置。
【請求項５】
前記映像効果でソフトフォーカス処理の特性を持つ場合、前記表示装置用画質調整手段で輪郭強調を通常より弱めることを特徴とする請求項1に記載のカメラ一体型記録再生装置。
【請求項６】
前記映像効果でノイズ追加を行っている場合、前記表示装置用画質調整手段で輪郭強調を通常より強めること、コントラストを上げること、ノイズリダクションを弱めることのうち少なくとも一つを行うことを特徴とする請求項1に記載のカメラ一体型記録再生装置。
【請求項７】
前記映像効果で色相を変化させる特性を持つ場合、前記表示装置用画質調整手段で色の彩度を上げることを特徴とする請求項1に記載のカメラ一体型記録再生装置。
【請求項８】
前記映像効果で色の彩度を上げる特性を持つ場合、前記表示装置用画質調整手段でブライトネスをあげること、色の彩度を上げることのうちどちらかを行うことを特徴とする請求項1に記載のカメラ一体型記録再生装置。
【請求項９】
前記映像効果で色の彩度を下げる特性を持つ場合、前記表示装置用画質調整手段でブライトネスを上げること、色の彩度を下げることのうちどちらかを行うことを特徴とする請求項1に記載のカメラ一体型記録再生装置。
【請求項１０】
前記映像効果で輝度の明滅変化を追加する特性を持つ場合、前記表示装置用画質調整手段でノイズリダクションを従来より弱くすることを特徴とする請求項1に記載のカメラ一体型記録再生装置。
【発明の詳細な説明】
【技術分野】
【０００１】
本発明は、カメラ一体型記録再生装置で使用される画像表示装置とその画質設定方法に関する。
【背景技術】
【０００２】
カメラ一体型記録再生装置には撮影される画像を撮影時に確認するため、画像表示装置を備える。この画像表示装置はコスト、大きさ、性能の面でバランスが取れている液晶表示装置が広く使われている。しかし、液晶表示装置には液晶パネルが自己発光しないためにＣＲＴなどのデバイスに比べるとダイナミックレンジが狭く、製造技術やコストの点から画素数が記録映像に対して少なく、画素数が不足していることが多い。
【０００３】
図２は従来からあるカメラ一体型記録再生装置の構成例を表したものである。同図においてレンズ201を通った光は絞り202と撮像素子203の電子シャッターと利得制御アンプ204によって露出量を制御されたのちに、画像生成回路205で記録や表示に使われる画像を生成する。生成されえた画像は用途に応じた処理を行う。記録装置207で記録する用途には記録装置用調整回路206で記録に適した画像に調整される。表示装置209で表示する用途の画像は表示装置が上記のようにダイナミックレンジが狭かったり画素数が不足していることに対応するため、表示装置用調整回路208で処理を行い、表示デバイス駆動回路210で表示装置を駆動して表示を行う。画像出力回路212から出力する映像については出力用調整回路211で出力に適した映像へと調整する。絞り202を制御する絞り制御回路213と、撮像素子203の電子シャッターを制御するシャッター制御手段214と、利得ゲインアンプ204のゲインはマイコン215で制御され前記画像生成回路205の出力画像が適正な明るさになるように制御される。
【０００４】
ここで、表示デバイス210が液晶パネルである場合、ダイナミックレンジが狭いうえに、表示画像の明るさは液晶パネルの背面から照射するバックライトの明るさに依存する。カメラ一体型記録再生装置はバッテリーで駆動する機会が多いため、単純にバックライトを明るくすると撮影可能時間が減少してしまうことになる。そこで、表示装置用調整回路208にて中間輝度のレベルを上げて全体的にハイキーな画像に調整することで、液晶パネルの見栄えを改善するという手法が良く行われている。
【０００５】
このようなカメラ一体型記録再生装置において動画を記録するモードと静止画を記録するモードとで画像を鑑賞する環境が異なるため、その鑑賞媒体に応じて画像生成回路205におけるガンマ、ブライトネス、コントラストを切り替えることを行っている（特許文献２参照）。
さらに、その時の表示装置209に表示される画像の視認性や見栄えを改善するため、表示装置用調整回路208におけるガンマ、ブライトネス、コントラストを切り替えていわゆる「白とび」や「黒つぶれ」が起こらないようにすることも行われている（特許文献１参照）。
【先行技術文献】
【特許文献】
【０００６】
【特許文献１】特開平9-200595号公報
【特許文献２】特開平9-093484号公報
【発明の概要】
【発明が解決しようとする課題】
【０００７】
以上説明したような手法をとったカメラ一体型記録再生装置においては液晶パネル上の視認性という点においては改善されているものの、記録装置207に記録される映像との整合性は考慮されていない。
【０００８】
つまり、撮影した映像に特定の効果を持たせるために画像生成回路205で通常モードと異なる映像特性を持たせている場合、パネルでの視認性を改善するとその効果をキャンセルする方向の映像特性を付加してしまうことがあった。
【０００９】
たとえば、撮影した映像に非現実的に見えるような効果を持たせるため、画像周辺の輝度をあげた画像を生成する撮像モードにおいては、パネルが白飛びしないように表示装置用調整回路208でガンマの中間輝度を下げてしまうと記録される映像との整合性が取れずに、表示パネル上での非現実的に見える効果も失われてしまう問題点があった。表示パネルは撮影時に撮影者が撮影意図と撮影画像が合致しているかどうかを判断する唯一の手段であることが多く、この判断を誤ると、撮影自体が無駄になってしまうこともあった。
【課題を解決するための手段】
【００１０】
以上の課題を解決するため、本発明にかかるカメラ一体型記録再生装置は、映像信号に特性の異なる複数の映像効果を付加して撮影可能な撮像手段と、前記撮像手段の出力を記録再生する記録再生手段と、前記撮像手段の出力画像および前記記録再生手段の出力画像を複数の設定を切り替えて加工する表示画像加工手段と、前記表示画像加工手段の出力画像を表示する画像表示手段とを備え、前記表示画像加工手段の設定は前記撮像手段が前記映像効果を付加して撮影した画像を加工する場合に付加した複数の効果に応じて設定を切り替えることを特徴としたものである。
【００１１】
また、前記表示画像加工手段の設定は前記映像効果として付加する複数の効果を強調し、ダイナミックレンジが狭く、画素数が不足している前記画像表示手段上で視認できるようにすることを特徴とするものである。
【００１２】
また、前記映像効果は画像周辺の輝度変化、ソフトフォーカスフィルタ、ノイズ・粒子追加、色相の変化、彩度の変化、コントラストの変化、画像全体の輝度明滅のうち少なくとも1つ以上を組み合わせた効果であることを特徴とするものである。
【００１３】
また、前記表示画像加工手段の設定は、ブライトネス、コントラスト、輪郭強調、巡回型ノイズリダクション、色彩度の変更、ガンマのうち少なくとも１つを変化させることを特徴とするものである。
【発明の効果】
【００１４】
以上説明したように、本発明によれば、撮影者がカメラ一体型記録再生装置で映像効果を付加して撮影しているときに、ダイナミックレンジが狭く、画素数が不足している表示装置を見ても通常撮影との差分が明白に視認できるようにすることができる。そのため、撮影者が撮影意図と撮影画像が合致しているかどうかを容易に判断することが可能となる。
【図面の簡単な説明】
【００１５】
【図１】本発明のカメラ一体型記録再生装置の第1の実施例における基本構成
【図２】従来からあるカメラ一体型記録再生装置の構成例
【図３】本発明のカメラ一体型記録再生装置の第２の実施例における基本構成
【図４】本発明のカメラ一体型記録再生装置のパラメータ決定フロー
【発明を実施するための形態】
【００１６】
＜第１の実施形態＞
図1は本発明のカメラ一体型記録再生装置の第１の実施形態における基本構成を示すブロック図である。
【００１７】
レンズ101を通った光は絞り102通って撮像素子103に入射して光電変換される。前記撮像素子103の出力信号は利得制御アンプ104を通って画像生成回路105に入力される。前記画像生成回路105は入力された信号から画像としての露出量を示す評価値を計算してマイコン106に渡す。前記マイコン106では前記評価値から露出量を制御するために３つの信号を生成する。1つ目は前記絞り102の開口径を制御する絞り制御回路107への制御信号である。この制御信号を元に前記絞り制御回路107で前記絞り102の開口径を制御して前記撮像素子103に入射する光量を制御する。2つ目は前記撮像素子103の電子シャッターを制御する制御信号である。この制御信号を元にシャッター制御回路108で前記撮像素子103の電子シャッターが駆動され、前記撮像素子103の露光量を変化させる。3つ目は前記利得制御アンプ104の利得を制御する制御信号である。この制御信号を元に前記利得制御アンプ104での画像信号増幅率が決まる。以上により前記画像生成回路105に入力される画像は適正露光の画像となる。
【００１８】
前記画像生成回路105にて生成された適正露光の画像は映像効果付加回路109にて映像効果を付加される。前記映像効果付加回路109は設定されている映像効果と必要な画像処理を前記マイコン106からの設定に従って行う。処理の内容については後述する。前記映像効果付加回路109の出力画像は3つの回路に出力される。1つ目は撮影中の画像をカメラ一体型記録再生装置の外に出力するための画像出力回路110で、ここで出力に適したフォーマットに変換されて外部モニタ（図示せず）に出力される。2つ目は映像記録を行う記録回路111である。前記記録回路111では記録媒体112に記録するのに適したフォーマットに変換し、前記記録媒体112に記録をおこなう。3つ目は表示装置用画質調整手段113である。
【００１９】
前記表示装置用画質調整手段113は表示装置114に撮影している画像を視認性良く表示するための画質調整を行う。前記表示装置用画質調整手段113は画像のブライトネスを調整するブライトネス調整回路115と、画像のコントラストを調整するコントラスト調整回路116と、画像の輪郭強調を調整する輪郭強調調整回路117と、画像の色の彩度を調整する彩度調整回路118と、画像のノイズを抑圧するためのノイズリダクション回路119とを含む。前記表示装置用画質調整手段113は内部の回路動作を前記マイコン106からの設定に従って行う。
【００２０】
前記マイコン106内で前記表示装置用画質調整手段に送る設定を決めるフローを示したのが図4である。最初にステップS401で付加する映像効果の要素を抽出する。抽出された要素に「周辺輝度を上げる」という要素が含まれているかどうかをステップS402で判断する。含まれていた場合は、ステップS408に進み、設定すべきパラメータとしてブライトネス+1、コントラスト+1として、次のステップに進む。ステップS403では抽出された要素に「周辺光量を落とす」が含まれているかどうかを判断する。含まれていた場合は、ステップS409に進み、設定すべきパラメータとしてブライトネス-1、コントラスト+1として、次のステップに進む。つぎのステップS404では抽出された要素に「ソフトフィルタ」が含まれているかどうかを判断する。含まれていた場合は、ステップS410に進み、設定すべきパラメータとして輪郭強調-1、ノイズリダクション+1として 、次のステップに進む。次のステップS405では抽出された要素に「ノイズ・粒子追加」が含まれているかどうかを判断する。含まれていた場合は設定すべきパラメータとして輪郭強調+1、コントラスト+1、ノイズリダクション-1として、次のステップに進む。次のステップS406では抽出された要素に、「色相変化」が含まれているかどうかを判断する。含まれていた場合は、ステップS412に進み、設定すべきパラメータとして彩度+1として、次のステップに進む。次のステップS407は抽出された要素に、「彩度を上げる」が含まれているかどうかを判断する。含まれていた場合は、ステップS413に進み、設定すべきパラメータとして彩度+1、コントラスト+1として、次のステップに進む。次のステップS414はパラメータ設定をみて、表示用画質調整手段113に送られる設定を決める。上記のステップS408〜S413で決めた設定すべきパラメータを総合して設定するパラメータを決定する。このとき、ブライトネスのように+1と-1が含まれているものがあるが、効果として正反対であるため、両方が含まれることはない。
【００２１】
前記映像効果付加回路109では画像に映像効果を付加するモードのときに、画像に必要な処理を行う。本実施例では5種類の映像効果に対応したカメラ一体型記録再生装置で説明する。1つ目のフィルタは明るく溌剌とした効果を持たせるフィルタであり、具体的には色の彩度を上げ、全体のコントラストを上げる処理を行う。つまり前記映像効果付加回路109で色の彩度を上げ、全体のコントラストを上げる処理を行うよう前記マイコン106から設定する。このとき前記表示装置114上で色彩度の変化をはっきり出すためには前記彩度調整回路118でさらに色を濃くし、前記ブライトネス調整回路115でブライトネスを上げ、前記コントラスト調整回路116でコントラストを上げると良い。これらの設定は前記マイコン106から前記表示装置用画質調整手段113に送られる。
【００２２】
2つ目は幻想的な雰囲気の映像を記録するためのもので、具体的には画面の周辺部分の輝度を上げ、全体にソフトフィルタを適応する処理を行う。つまり前記映像効果付加回路109で画像周辺の輝度レベルを上げて、ソフトフィルタを適用するように前記マイコン106から設定する。このとき前記表示装置114上で幻想的な雰囲気をはっきり出すためには、前記ブライトネス調整回路115でブライトネスを上げ、前記コントラスト調整回路116でコントラストを上げ、前記輪郭強調調整回路117で輪郭強調を通常より弱めると良い。これらの設定は前記マイコン106から前記表示装置用画質調整手段113に送られる。
【００２３】
3つ目はセピア効果。セピア効果とは画像全体の色調をセピア調にすることにより、古い映像のような艶を与える効果であり、具体的には通常のモードから色相を歪めて褐色方向のみ発色するような設定とする。つまり、前記映像効果付加回路109で色相の変更を行うよう前記マイコン106から設定する。このとき前記表示装置114上でセピアの色合いをはっきり出すためには、前記彩度調整回路118でさらに色を濃くすること良い。これらの設定は前記マイコン106から前記表示装置用画質調整手段113に送られる。
【００２４】
4つ目はフィルム効果。フィルム効果は昔のフィルム映画のような効果を付加する。具体的には引っかき傷や粒子ノイズの付加や画像明滅を起こす処理を行う。つまり、前記映像効果付加回路109で引っかき傷追加、粒子ノイズの追加、画面の輝度変化による明滅を行うよう前記マイコン106から設定する。このとき、前記表示装置114上で追加した効果をはっきり出すためには、前記コントラスト調整回路116でコントラストを上げて、前記輪郭強調調整回路117で輪郭強調を通常より強め、前記ノイズリダクション回路119でノイズ抑圧度を下げてやるとよい。これらの設定は前記マイコン106から前記表示装置用画質調整手段113に送られる。
【００２５】
5つ目は昔のことを振り返っているかのような効果を持たせる映像効果であり、具体的には画面の周辺光量を下げて、全体にソフトフィルタを適用するように前記マイコン106から設定する。このとき前記表示装置114上で回想シーンのような雰囲気を再現するためには、前記ブライトネス調整回路115でブライトネスを下げ、前記コントラスト調整回路116でコントラストを上げ、前記輪郭強調調整回路117で輪郭強調を通常よりも強めると良い。これらの設定は前記マイコン106から前記表示装置用画質調整手段113に送られる。
【００２６】
以上のように、映像効果を付加して撮影するときにその処理内容に応じて表示装置用に追加で画像処理を加えることで撮影者が効果を視認しやすい表示装置を備えたカメラ一体型記録再生装置を提供することができる。
【００２７】
＜第２の実施形態＞
図３は本発明のカメラ一体型記録再生装置の第２の実施形態における基本構成を示すブロック図である。記録媒体301に記録されている画像を記録回路302が読み出し、画像と撮影時の設定を読みだす。画像は2つのブロックに出力される。１つは画像出力回路303で、出力に適したフォーマットに変換後外部モニタ（図示せず）に出力される。もう1つは表示装置用画質調整手段305で、表示装置306用の画質調整を行った後に前記表示装置306に出力される。前記撮影時の設定はマイコン304に伝えられ、映像効果を用いて撮影されていれば前記表示装置用画質調整手段305にて映像効果の特性に応じた調整を行う。
【００２８】
前記表示装置用画質調整手段305はブライトネス調整回路307、コントラスト調整回路308、輪郭強調調整回路309、彩度調整回路310、ノイズリダクション回路311からなり、映像効果ごとにどのような調整を行うかについては第1の実施例と同じである。
【符号の説明】
【００２９】
101‥‥レンズ
102‥‥絞り
103‥‥撮像素子
104‥‥利得制御アンプ
105‥‥画像生成回路
106‥‥マイコン
107‥‥絞り制御回路
108‥‥シャッター制御回路
109‥‥映像効果効果付加回路
110‥‥画像出力回路
111‥‥記録回路
112‥‥記録媒体
113‥‥表示画像用画質調整手段
114‥‥表示装置
115‥‥ブライトネス調整回路
116‥‥コントラスト調整回路
117‥‥輪郭強調調整回路
118‥‥彩度調整回路
119‥‥ノイズリダクション回路
201‥‥レンズ
202‥‥絞り
203‥‥撮像素子
204‥‥利得制御アンプ
205‥‥画像生成回路
206‥‥記録装置用調整回路
207‥‥記録装置
208‥‥表示装置用調整回路
209‥‥表示装置
210‥‥表示デバイス駆動回路
211‥‥出力用調整回路
212‥‥画像出力回路
213‥‥絞り制御回路
214‥‥シャッター制御手段
215‥‥マイコン
301‥‥記録媒体
302‥‥記録回路
303‥‥画像出力回路
304‥‥マイコン
305‥‥表示装置用画質調整手段
306‥‥表示装置
307‥‥ブライトネス調整回路
308‥‥コントラスト調整回路
309‥‥輪郭強調調整回路
310‥‥彩度調整回路
311‥‥ノイズリダクション回路
S401‥‥付加する映像効果の要素を抽出するステップ
S402‥‥付加する映像効果に「周辺輝度上げ」が含まれるかどうかを判定するステップ
S403‥‥付加する映像効果に「周辺輝度落とし」が含まれるかどうかを判定するステップ
S404‥‥付加する映像効果に「ソフトフォーカス」が含まれるかどうかを判定するステップ
S405‥‥付加する映像効果に「ノイズ・粒子追加」が含まれるかどうかを判定するステップ
S406‥‥付加する映像効果に「色相変化」が含まれるかどうかを判定するステップ
S407‥‥付加する映像効果に「彩度上げる」が含まれるかどうかを判定するステップ
S408‥‥「周辺輝度上げ」に適したパラメータを抽出するステップ
S409‥‥「周辺輝度落とし」に適したパラメータを抽出するステップ
S410‥‥「ソフトフォーカス」に適したパラメータを抽出するステップ
S411‥‥「ノイズ・粒子追加」に適したパラメータを抽出するステップ
S412‥‥「色相変化」に適したパラメータを抽出するステップ
S413‥‥「彩度上げる」に適したパラメータを抽出するステップ
S414‥‥表示用画質調整手段に設定する項目を決定し、設定するステップ
【図１】
2013055435.tif 000003
【図２】
2013055435.tif 000004
【図３】
2013055435.tif 000005
【図４】
2013055435.tif 000006